【手続補正書】
【提出日】平成20年7月1日(2008.7.1)
【手続補正１】
【補正対象書類名】特許請求の範囲
【補正対象項目名】全文
【補正方法】変更
【補正の内容】
【特許請求の範囲】
【請求項１】
記憶装置と、エンタープライズ・アーキテクチャ（ＥＡ）の各層から与えられるシステム基盤構成への要求を入力する入出力装置と、情報処理装置がその主記憶装置に格納されるプログラムを実行することによって実現される処理部とを有し、ＥＡに基づくシステム基盤構成の策定を支援するシステム基盤構成策定支援システムであって、
前記記憶装置は、ユーザの要求内容を管理する要求内容管理テーブルと、システム基盤構成の品質要件の品質要件分類、項番、品質要件内容、値を管理する品質要件管理テーブルと、ユーザの要求と品質要件を対応付ける要求＿品質要件対応テーブルと、品質要件とグループとを対応付ける階層的なグルーピングテーブルと、前記品質要件により前記グルーピングテーブルのグループに分けられたシステム基盤構成の策定事例とを格納し、
システム基盤に対するユーザの要求を前記入出力装置が入力データとして取り込み、前記処理部により前記入力データから前記要求＿品質要件対応テーブルを参照して要求に対応する品質要件を入力品質要件として取得し、前記入力品質要件から前記グルーピングテーブルを参照して、入力品質要件に対応する既存のグループを選択するグループ選択手段と、
前記入力品質要件と前記グループ選択手段により選択されたグループの策定事例の品質要件との類似度を前記処理部により計算する類似度計算手段と、
前記類似度計算に基づきグループ内の事例を前記類似度計算結果の高い事例からシステム基盤構成案として提示する策定案提示手段と、
提示された事例のさらなる絞り込み要求をユーザから受付けた場合、当該絞り込みの質問を出力する質問手段と、
策定されたシステム基盤構成を前記グループ選択手段により選択されたグループの策定事例としてグルーピングテーブルに反映するグループ生成・更新・削除手段と、
前記策定案をユーザの入力により変更するカスタマイズ手段とを備えたことを特徴とするシステム基盤構成策定支援システム。
【請求項２】
前記記憶装置は、システム基盤構成の基礎技術により分類されたトップレベルグループ管理テーブルと、前記トップレベルグループとシステム基盤構成の基本技術により分類された下位レベル（基本構成）グループ管理テーブルと、前記下位レベルグループ管理テーブルの分類に基づき個別システム基盤構成事例を蓄積したグルーピングテーブルを格納し、
前記グループ選択手段は、前記入力品質要件に基づき前記記憶装置に格納されたトップレベルグループ管理テーブル、下位レベルグループ管理テーブル、グルーピングテーブルを順に前記入力品質要件の重要度の順に参照するか、該当するグループがない場合に前記入力品質要件に矛盾しないグループを選抜し、検索対象グループとすることを特徴とする請求項１記載のシステム基盤構成策定支援システム。
【請求項３】
前記類似度計算手段は、前記入力品質要件を基に前記グループ選択手段により選択されたグループの一要素の品質要件と前記入力品質要件とについて、前記品質要件管理テーブルを参照し、前記品質要件管理テーブルの値フィールドから、前記グループの一要素と前記入力品質要件の品質要件分類項目毎の値を取得し、それぞれの値を用いて類似度を計算し、グループ内の各要素について同様に類似度を計算した結果を比較し、類似度の高い事例から提示することを特徴とする請求項１記載のシステム基盤構成策定支援システム。
【請求項４】
前記事例選定質問手段は、前記類似度計算手段により提示された類似度の高い策定事例と前記グループ検索手段により選定された該当事例件数とを提示し、ユーザに絞り込みの有無を判断させ、絞り込みが必要な場合に、前記グルーピングテーブルに含まれるこれまでの策定事例が選択していた品質要件から絞り込みの質問項目を生成し、ユーザに質問を行い、ユーザの回答に基づき前記該当事例を絞り込むことを特徴とする請求項１記載のシステム基盤構成策定支援システム。
【請求項５】
前記グループ生成・更新・削除手段は、前記グルーピングテーブルへの策定事例の追加と、グループ内の策定事例数が所定の値以上になった場合に、当該グループを分割して前記グルーピングテーブルに新しいグループを生成する新規グループ作成手段とを有し、前記新規グループ作成手段により分割された情報を、前記記憶装置に作成されるグループ分割履歴管理テーブルに格納することを特徴とする請求項１記載のシステム基盤構成策定支援システム。
【請求項６】
前記グループ生成・更新・削除手段は、前記入出力装置から統合元の品質要件と統合先の品質要件を入力データとして取り込み、前記グルーピングテーブルの品質要件フィールドの値が、前記統合元の品質要件と部分一致するか否かを判定し、該当フィールドの一致部分の値を前記統合先の品質要件に書き換え、
前記グループ分割履歴管理テーブルを参照し、グループ分割要件フィールドの値が前記統合元の品質要件と一致するレコードのグループ探索用コードを取得し、かつ、前記レコードのグループ探索用コードの値と前記グループ探索用コードの桁数分の値がグループ探索用コードと一致するレコードを前記分割履歴管理テーブルの他のレコードから検索し、該当するレコードのグループ探索用コードの取得と該当レコードの削除とを行い、
前記グルーピングテーブルを参照し、グループ名フィールドが前記グループ探索用コードに一致するグループを検索し、当該グループの要素の保持と該当レコードの削除とを行い、
前記保持した要素を前記グループ生成・更新手段によりグループ分けして格納することを特徴とする請求項５記載のシステム基盤構成策定支援システム。
【請求項７】
前記カスタマイズ手段は、前記策定案提示手段により提示されたシステム基盤構成案に基づき、ユーザ環境に適するように新たな構成を追加し、前記グループ選択手段により策定されたシステム基盤構成の内容を前記グルーピングテーブルに格納することを特徴とする請求項１記載のシステム基盤構成策定支援システム。
【請求項８】
記憶装置と、エンタープライズ・アーキテクチャ（ＥＡ）の各層から与えられるシステム基盤構成への要求を入力する入出力装置と、情報処理装置がその主記憶装置に格納されるプログラムを実行することによって実現される処理部とを有し、ＥＡに基づくシステム基盤構成の策定を支援するシステム基盤構成策定支援方法であって、
前記記憶装置は、ユーザの要求内容を管理する要求内容管理テーブルと、システム基盤構成の品質要件の品質要件分類、項番、品質要件内容、値を管理する品質要件管理テーブルと、ユーザの要求と品質要件を対応付ける要求＿品質要件対応テーブルと、品質要件とグループとを対応付ける階層的なグルーピングテーブルと、前記品質要件により前記グルーピングテーブルのグループに分けられたシステム基盤構成の策定事例とを格納し、
システム基盤に対するユーザの要求を前記入出力装置が入力データとして取り込み、前記処理部により前記入力データから前記要求＿品質要件対応テーブルを参照して要求に対応する品質要件を入力品質要件として取得し、前記入力品質要件から前記グルーピングテーブルを参照して、入力品質要件に対応する既存のグループを選択し、
前記入力品質要件と前記グループ選択手段により選択されたグループの策定事例の品質要件との類似度を前記処理部により類似度計算を行い、
前記類似度計算に基づきグループ内の事例を前記類似度計算結果の高い事例からシステム基盤構成案として提示し、
提示された事例のさらなる絞り込み要求をユーザから受付けた場合、当該絞り込みの質問を出力し、
策定されたシステム基盤構成を前記グループ選択手段により選択されたグループの策定事例としてグルーピングテーブルに反映し、
前記策定案をユーザの入力により変更してカスタマイズすることを特徴とするシステム基盤構成策定支援方法。
【手続補正２】
【補正対象書類名】明細書
【補正対象項目名】００１１
【補正方法】変更
【補正の内容】
【００１１】
本発明によれば前記目的は、記憶装置と、エンタープライズ・アーキテクチャ（ＥＡ）の各層から与えられるシステム基盤構成への要求を入力する入出力装置と、情報処理装置がその主記憶装置に格納されるプログラムを実行することによって実現される処理部とを有し、ＥＡに基づくシステム基盤構成の策定を支援するシステム基盤構成策定支援システムであって、前記記憶装置は、ユーザの要求内容を管理する要求内容管理テーブルと、システム基盤構成の品質要件の品質要件分類、項番、品質要件内容、値を管理する品質要件管理テーブルと、ユーザの要求と品質要件を対応付ける要求＿品質要件対応テーブルと、品質要件とグループとを対応付ける階層的なグルーピングテーブルと、前記品質要件により前記グルーピングテーブルのグループに分けられたシステム基盤構成の策定事例とを格納し、システム基盤に対するユーザの要求を前記入出力装置が入力データとして取り込み、前記処理部により前記入力データから前記要求＿品質要件対応テーブルを参照して要求に対応する品質要件を入力品質要件として取得し、前記入力品質要件から前記グルーピングテーブルを参照して、入力品質要件に対応する既存のグループを選択するグループ選択手段と、前記入力品質要件と前記グループ選択手段により選択されたグループの策定事例の品質要件との類似度を前記処理部により計算する類似度計算手段と、前記類似度計算に基づきグループ内の事例を前記類似度計算結果の高い事例からシステム基盤構成案として提示する策定案提示手段と、提示された事例のさらなる絞り込み要求をユーザから受付けた場合、当該絞り込みの質問を出力する質問手段と、策定されたシステム基盤構成を前記グループ選択手段により選択されたグループの策定事例としてグルーピングテーブルに反映するグループ生成・更新・削除手段と、前記策定案をユーザの入力により変更するカスタマイズ手段とを備えたことにより達成される。